(57)【特許請求の範囲】
【請求項１】
パワーショベルなどの建設機械に着脱可能に取付けられ、草木を伐採する草木伐採装置であって、ハンマーナイフを多数取付けた回転型伐採部を内装したカバー体と、該カバー体の一側面側に密閉状態に設けられ、前記建設機械の油圧源から油圧供給され、前記回転型伐採部を回転させる油圧モータと、前記カバー体の他側面側に着脱可能に設けられ、前記カバー体の開口部から拡径して形成され、前記伐採部で伐採された草木を収容する籠体と、該籠体の下部に設けられ、回動軸を中心に回動する一対の蓋部と、前記建設機械から電力供給され、前記蓋部を開閉させる駆動手段を備え、前記回転型伐採部によって伐採された草木を前記籠体に収容すると共に、収容された前記草木を放出可能とすることを特徴とする草木伐採回収装置。
【発明の詳細な説明】
【技術分野】
【０００１】
本発明は、草木伐採装置に関し、とくにパワーショベルなどの建設機械に着脱して使用できる草木伐採回収装置に関するものである。
【背景技術】
【０００２】
従来より、パワーショベルなどの建設機械に取付けて、草木の伐採を行なう草刈機や草木刈取り作業機が知られている。（例えば特許文献１、特許文献２参照。）。
【０００３】
これら従来の草刈機は、平板をくの字状に曲げた２枚の板部材を背中合わせにし、その先端部がＹ字状に開いた状態で回転ドラムに取付けられた所謂ハンマーナイフ等の刃物を使用するものであり、この回転ドラムを回転させて草木の伐採を行なうものである。
【０００４】
しかしながら、これら従来の草刈機の場合、不整地や傾斜地での草木の伐採に効果的であるが、伐採後の草木の回収に専用の回収装置を使用する回収作業や、人手による回収作業を必要とするため、多大の時間と費用が係るものであった。
【０００５】
そこで、油圧ポンプで作動する放出シリンダによって回動し、収容した草を放出するかご部を枢着した刈取り部をパワーショベルのアーム先端に着脱できる草刈り機が提案されている（例えば特許文献３参照。）。
【先行技術文献】
【特許文献】
【０００６】
【特許文献１】特開平１１−１７８４２０号公報
【特許文献２】特開２００２−２３３２２１号公報
【特許文献３】特開平７−７９６２７号公報
【発明の概要】
【発明が解決しようとする課題】
【０００７】
しかしながら、上記の草刈り機は油圧ポンプによってかご部を駆動させる構成であり、草刈り機に搭載したエンジンによって駆動させるため、燃料を必要とし作業上の安全性に問題が残るものであった。
【０００８】
本発明は、上記従来の問題点に鑑みなされたものであり、パワーショベルなどの建設機械に着脱可能に取付けられ、草木を伐採して収容し、パワーショベルのバッテリーから電力供給されて駆動するモータによって開閉可能な蓋部を有する草木伐採回収装置を提供する。
【課題を解決するための手段】
【０００９】
このため本発明の草木伐採回収装置は、ハンマーナイフを多数取付けた回転型伐採部を内装したカバー体と、該カバー体の一側面側に密閉状態に設けられ、前記建設機械の油圧源から油圧供給され、前記回転型伐採部を回転させる油圧モータと、前記カバー体の他側面側に着脱可能に設けられ、前記カバー体の開口部から拡径して形成され、前記伐採部で伐採された草木を収容する籠体と、該籠体の下部に設けられ、回動軸を中心に回動する一対の蓋部と、前記建設機械から電力供給され、前記蓋部を開閉させる駆動手段を備え、前記回転型伐採部によって伐採された草木を前記籠体に収容すると共に、収容された前記草木を放出可能とすることを特徴とする。
【００１１】
前記建設機械からの電力供給は、バッテリーなどが効果的に使用され、機械作業者は建設機械の操作と同時に蓋体の開閉操作が可能となる。
【発明の効果】
【００１２】
本発明に係る草木伐採回収装置によれば、ハンマーナイフを多数取付けた回転型伐採部によって伐採した草木を籠部内に収容することができるため、専用の回収装置を使用する回収作業や、人手による回収作業を必要としないという優れた効果を有する。
【００１３】
また、前記蓋体は建設機械のバッテリーから電力供給されて駆動するモータによって開閉するため、作業者は安全に作業できると共に、建設機械の操作と並行して伐採した草木の移動や積み替えができるという優れた効果を有する。
【図面の簡単な説明】
【００１４】
【図１】本発明の草木伐採回収装置の斜視図である。
【図２】図１の正面説明図である。
【図３】図１の側面説明図である。
【図４】回転型伐採部の説明図である。
【図５】草木伐採回収装置の籠部の閉状態を示す側面説明図である。
【図６】草木伐採回収装置の籠部の開状態を示す側面説明図である。
【発明を実施するための形態】
【００１５】
以下、本発明を実施するための最良の形態を図面に基づいて説明する。図１は本発明の草木伐採回収装置の斜視図、図２は図１の正面説明図、図３は図１の側面説明図、図４は回転型伐採部を示す図、図５は草木伐採回収装置の籠部の閉状態を示す側面説明図、図６は草木伐採回収装置の籠部の開状態を示す側面説明図である。
【実施例】
【００１６】
図１乃至図３に示すように、本発明の草木伐採回収装置１は、回転型伐採部を内装したカバー体２と、このカバー対２の一端側に着脱可能に取付けられた籠体３と、から構成されており、カバー体２の上部にブラケット４を介して建設機械であるパワーショベルの先端部５に着脱可能に取付けられる。
【００１７】
カバー体２は鋼製で底が開口した箱型に形成されており、その側面には後述する回転伐採部の回転軸を回転させる油圧モータ６が取付られており、パワーショベルの油圧源から接続される２本のホース７によって油圧供給される。
【００１８】
またカバー体２の前側下部には、すだれ状に鎖８が複数吊り下げられており、伐採された草木がカバー体２の外部に飛散することを防止する。
【００１９】
籠体３は鋼製のフレーム９と鋼製のネット１０で五角柱状の箱体に形成され、カバー体２の後部開口部に着脱可能に取付けれており、その下部には開閉可能な蓋体１１、１２を装着し、後述する駆動装置によって開閉可能とされている。
【００２０】
図４は、カバー体２内に水平に配置された回転型伐採部１３を示している。この回転型伐採部１３は筒状の回転軸１４の表面に、回転軸１４の長手方向と周方向に所定の間隔とピッチで螺旋状に配置された複数の取付金具１５と、この取付金具１５に回転軸１４の周方向に回動可能に取付られたハンマーナイフ１６とで構成されており、カバー体２の両側面中央にそれぞれ取付けれられた回転支持部材１７によって回転自在に保持される。そして上述した油圧モータ６の回転が回転伝達手段（図示せず）によって回転軸１４に伝達され、回転型伐採部１３が回転駆動する。
【００２１】
取付金具１５は回転軸１４の長手方向と周方向に所定のピッチで配置され、複数のハンマーナイフ１６を揺動可能に保持し、このハンマーナイフ１６の揺動及び回動による干渉が生じない螺旋状の位置とされており、回転型伐採部１３の回転駆動によって効率よく草木の伐採が可能となる。
【００２２】
図５及び図６は、草木伐採回収装置１の籠部３の側面を示しており、蓋体１１、１２の開閉状態を示している。図に示すように、籠体３の側面には、電動モータ１８と、チエーン１９を介して駆動伝達を行なうリンク部材２０が取付られ、このリンク部材２０は蓋体１１、１２とそれぞれ接続している。そして、パワーショベル側のバッテリー（図示せず）からケーブル２１を介して電力供給されて電動モータ１８が回転駆動し、チエーン１９及びリンク部材２０を介して蓋体１１、１２が開閉する。
【００２３】
上記の構成からなる草木伐採回収装置１をパワーショベルの先端部５に取付け、回転型伐採部１３を回動させながらパワーショベルを移動させることによって、草木の伐採が可能となる。しかも伐採した草木は、ハンマーナイフ１６によって破砕されながら後部開口から籠体３に収容される。
【００２４】
籠体３に収容された草木は、上記の蓋体１１、１２の開壁操作によって、所定の蓄積場所や移動用ダンプの荷台への積載が可能となる。
【００２５】
以上、本発明の草木伐採回収装置によれば、パワーショベルなどの建設機械に着脱可能に取付けられ、草木を伐採して収容し、パワーショベルのバッテリーから電力供給されて駆動するモータによって開閉する蓋部によって、収容した草木の積み替えを行なうことができる。
【符号の説明】
【００２６】
１        草木伐採回収装置
２        カバー体
３        籠体
４        ブラケット
５        先端部
６        油圧モータ
７        ホース
８        鎖
９        フレーム
１０        ネット
１１、１２  蓋体
１３        回転型伐採部
１４        回転軸
１５        取付金具
１６        ハンンマーナイフ
１７        回転支持部材
１８        電動モータ
１９        チエーン
２０        リンク部材
２１        ケーブル
【図１】
0005392570.tif 000002
【図２】
0005392570.tif 000003
【図３】
0005392570.tif 000004
【図４】
0005392570.tif 000005
【図５】
0005392570.tif 000006
【図６】
0005392570.tif 000007